(57)【要約】【課題】複数コマの撮影画像とそのプリント注文情報を記録可能な写真記録メディアをプリントソースとして写真プリントを作製する際に、既にプリント注文情報が設定されていても今回の注文に基づいて確実に写真プリントを作製することができる技術を提供する。【解決手段】撮影画像をモニタに表示しながら各コマの撮影画像に対してプリント処理情報を付与する作業時に、写真記録メディアにプリント注文情報が記録されていた場合モニタに表示される各コマの撮影画像に対応付けてそのプリント注文情報の内容種別を意味するマーク９０が表示される。【選択図】  図１０
2004164306.tif 000002
【特許請求の範囲】
【請求項１】
複数コマの撮影画像とそのプリント注文情報を記録可能な写真記録メディアをプリントソースとして写真プリントを作製する写真プリント装置のためのプリント管理システムにおいて、
前記撮影画像をモニタに表示しながら各コマの撮影画像に対してプリント処理情報を付与する作業時に、前記写真記録メディアにプリント注文情報が記録されていた場合前記モニタに表示される各コマの撮影画像に対応付けてそのプリント注文情報の内容種別を意味するマークが表示されることを特徴とするプリント管理システム。
【発明の詳細な説明】
【０００１】
【発明の属する技術分野】
本発明は、複数コマの撮影画像とそのプリント注文情報を記録可能な写真記録メディアをプリントソースとして写真プリントを作製する写真プリント装置のためのプリント管理システムに関する。
【０００２】
【従来の技術】
複数コマの撮影画像とそのプリント注文情報を記録可能な写真記録メディアとして、まずは、従来の銀塩フィルムから派生したＡＰＳ（アドバンスフォトシステム）フィルムが挙げられるが、このフィルムには磁気記録層が形成されており、撮影時データ（撮影日時、タイトル、レンズの焦点距離、シャッター速度、絞り値、露光補正値など）やコマ毎の同時プリント時のプリント枚数、さらにはトリミングデータなどを記録することが可能である。このようにＡＰＳフィルムに磁気記録層に記録可能なデータの内プリント作製時に利用されるものが本出願におけるプリント注文情報に属することになる。
【０００３】
また、現在急速に普及されている多くのデジタルカメラにおいては撮影画像はスマートメディアやコンパクトフラッシュといった写真記録メディアとしてのメモリカードに記録されるが、このメモリカードに撮影画像コマに対するプリント注文情報も記録される、いわゆるＤＰＯＦ（Ｄｉｇｉｔａｌ  Ｐｒｉｎｔ  Ｏｒｄｅｒ  Ｆｏｒｍａｔ）と呼ばれるフォーマットが採用されており、各コマ毎にプリント枚数やプリント差し込み文字情報やトリミングデータといった情報を設定することが可能になっている。このようなＤＰＯＦに基づいてメモリカードに記録されたデータは本出願におけるプリント注文情報に属することになる。
【０００４】
撮影画像とプリント注文情報を記録した写真記録メディアをプリントソースとして写真プリントを作製する際、プリント枚数などのプリント処理情報を写真プリント装置に自動的に取り込むことができるので好都合であるが、ＤＰショップ等で写真プリントを注文する際に既に写真記録メディアに記録したプリント注文情報に代えて新しく注文明細、例えばプリントすべきコマ番号やプリント枚数を提出することがある。このような場合写真記録メディアに記録したプリント注文情報を採用せずにプリント注文受け時に得た注文票に基づいて指定されたプリント枚数やトリミングデータを有する写真プリント装置制御用のプリント処理情報を作成する必要がある。
【０００５】
この問題を簡単に解決するために、従来の１つのプリント管理システムでは、今回注文を受けたプリント枚数等の情報はＤＰＯＦファイルに変換しておき、受け取ったプリントソースにＤＰＯＦファイルが含まれておりプリント枚数が設定されている場合には、そのＤＰＯＦファイルを今回注文を受けたプリント枚数で書き換えている（例えば、特許文献１参照。）。これは、写真記録メディアに既に付加されていたプリント枚数より今回注文を受けたプリント枚数のほうが顧客の希望する枚数である可能性が高いという考察に基づいているが、もし、ある特定のコマだけ既に設定付加されていたプリント枚数とは異なる枚数が希望されている場合などのプリント注文にスムーズに対応することが難しいという問題がある。
【０００６】
また、別なプリント管理システムでは、写真記録メディアが装填された状態でＤＰＯＦプリントモードが設定されると、ＤＰＯＦモードが選択されていることを示す“ＤＰＯＦ”が表示されるとともに、撮影画像コマとともにプリント制御情報（プリント注文情報）が書き込まれているコマがあるか否かを判定し、全てのコマに前記プリント制御情報が設定されていないと判定した場合には、設定されていないことを意味する表示、例えば７セグメント表示法を用いた“ｎｏｎ”の表示を表示部２ｅに表示させる（例えば、特許文献２参照。）。これにより、装填された写真記録メディアにプリント注文情報が書き込まれているコマが存在しない旨を確実にユーザに知らしめることができるが、コマ単位でプリント注文情報がどのように設定されているかといった情報を与えることができないので、写真プリント装置に写真プリント作製のためのプリント処理情報を付与するといったプロセスにこの技術を利用することはできない。
【０００７】
【特許文献１】
特開２００１−２６５５５３号公報（段落番号００７９−００８２、第１０図）
【０００８】
【特許文献１】
特開２００２−０５９６１２号公報（段落番号００７５−００８８、第５図）
【０００９】
【発明が解決しようとする課題】
上記実状に鑑み、本発明の課題は、複数コマの撮影画像とそのプリント注文情報を記録可能な写真記録メディアをプリントソースとして写真プリントを作製する際に、既にプリント注文情報が設定されていても今回の注文に基づいて確実に写真プリントを作製することができる技術を提供することである。
【００１０】
【課題を解決するための手段】
上記課題を解決するため、複数コマの撮影画像とそのプリント注文情報を記録可能な写真記録メディアをプリントソースとして写真プリントを作製する写真プリント装置のための、本発明によるプリント管理システムでは、前記撮影画像をモニタに表示しながら各コマの撮影画像に対してプリント処理情報を付与する作業時に、前記写真記録メディアにプリント注文情報が記録されていた場合前記モニタに表示される各コマの撮影画像に対応付けてそのプリント注文情報の内容種別を意味するマークが表示されるように構成されている。
【００１１】
この構成では、複数コマの撮影画像とそのプリント注文情報を記録可能な写真記録メディアをプリントソースとした場合、もしＤＰＯＦ等のプリント注文情報が記録されているとその旨を表すマークが該当コマ画像に対応付けて表示されるとともにそのマークにはプリント注文情報の内容種別、例えばプリント枚数やトリミング位置を意味する印や記号なども付加されるので、このプリント前に既に設定されていたプリント注文情報の項目を容易に知ることができる。
【００１２】
従って、例えばプリント注文情報としてプリント枚数の情報が記録されており、自動的にプリント枚数がそのプリント注文情報に基づいて、書き換えられたとしても、そのコマ画像に対してプリント枚数がプリント注文情報として既に写真記録メディアに記録されていたことが容易に理解できるので、オペレータが表示されたプリント枚数が自分によって入力したものであるのかどうかといったような戸惑いをすることがなくなる。このようなことは、プリント枚数だけではなくトリミング位置に関しても同様であり、元々プリント注文情報として設定されていたものであるか、今回の注文において自ら入力したものであるかをオペレータは明確に理解することができる。
【００１３】
本発明の好適な実施形態の１つでは、プリント注文情報として最も利用頻度が高いＤＰＯＦをイメージしたアイコンが用意されるとともに、そのプリント注文情報の内容に応じて、例えばプリント枚数が設定されている場合には「Ｐ」という記号がＤＰＯＦ（プリント注文情報の一例）アイコンに付加され、写真プリント表面に付加的にプリントされる文字情報が設定されている場合には「Ｃ」という記号がＤＰＯＦアイコンに付加され、トリミングするための位置情報が設定されている場合には「Ｔ」という記号がＤＰＯＦアイコンに付加されることが提案される。このように、プリント注文情報の内容種別を目視により簡単に理解できるＤＰＯＦアイコンを採用することにより、各コマの撮影画像に対して写真プリント装置にプリント処理情報を付与すためにプリントソースとしての写真記録メディアから取得された撮影画像を、好ましくは複数駒画像を一覧表示の形でモニタに表示する際にも、小さなスペースで必要十分な情報をオペレータに与えることができる。
本発明によるプリント管理システムは、実質的にはハードウエア又はソフトウエア（コンピュータプログラム）あるいはその両方によって構成することができるので、このプリント管理システムの各機能をコンピュータ上で実現するコンピュータプログラムも本発明の対象となっている。
本発明によるその他の特徴及び利点は、以下図面を用いた実施形態の説明により明らかになるだろう。
【００１４】
【発明の実施の形態】
図１は本発明によるプリント管理システムを採用した写真プリント装置の一例を示す外観図であり、この写真プリント装置は、銀塩印画紙Ｐ（以下、印画紙Ｐと称する）に対して露光処理と現像処理とを行う写真プリンタとしてのプリントステーション１Ｂと、メモリカードＭａやＡＰＳフィルムＭｂなどのプリントソースとしての写真記録メディアＭから取り込んだ撮影画像データやプリント注文データを処理してプリントステーション１Ｂで使用されるプリントデータの生成・転送などを行う操作ステーション１Ａとから構成されている。
【００１５】
この写真プリント装置はデジタルミニラボとも称せられるものであり、図２からよく理解できるように、プリントステーション１Ｂは２つの印画紙マガジン１１に納めたロール状の印画紙Ｐを該ステーション１Ｂの内部に搬送してプリントサイズに切断すると共に、このように切断された印画紙Ｐに対し、プリントエンジンとしての露光エンジン１２で露光を行い、この露光後の印画紙Ｐを複数の現像処理槽を有した現像処理部１３に送って現像する。乾燥の後に装置上部の横送りコンベア１４からソータ１５に送られた印画紙Ｐ、つまり写真プリントＰは、このソータ１５の複数のトレイ１５ａに対してオーダ単位で仕分けられた状態で集積される。
【００１６】
露光エンジン１２は、操作ステーション１Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。又、前記現像処理部１３は露光後の印画紙Ｐを複数の現像処理槽に対して連続的に送るよう多数の圧着ローラ（図示せず）を有した搬送系を備えている。
【００１７】
前記操作ステーション１Ａは、デスク状コンソールの上部位置には、従来からの写真フィルムとしてよく知られた１３５フィルムから撮影画像データを、及びＡＰＳフィルムＭｂから撮影画像データとプリント注文情報を取得するフィルムスキャナ２と、各種情報を表示するモニタ４が配置されている。さらに操作テーブル上にはこの写真プリント装置に対する各種設定や調整を行う際に用いるキーボード１６やマウス１７などが配置されている。
【００１８】
また、この操作テーブルの下方には、取り込んだ撮影画像データやプリント注文情報の処理やプリントステーション１Ｂに対する各種設定や調整などを行うコントローラ３として機能する汎用コンピュータ（以後単にパソコンと称する）が備えられている。このコントローラ３にはデジタルカメラに装着されるメモリカードＭａとして用いられているスマートメディアやコンパクトフラッシュなどから撮影画像データとプリント注文情報を取得したりするメディアリーダ１８も備えられている。
【００１９】
フィルムスキャナ２は、図２に模式的に示されているように、フィルム搬送ラインの上方に位置する光源２０と、フィルム搬送ラインの下側でこれに対して直交する方向に延びたスリット２１の下方に位置する光学レンズ２２と、この光学レンズ２２によって結像された写真フィルムの透過光を光電変換するＣＣＤ型のセンサユニット２３と、ＡＰＳタイプの写真フィルムの磁気記録層からプリント注文情報を読み取る磁気リーダ２４を備えている。センサユニット２３はパソコンに装着された画像入力ボードと接続されており、センサユニット２３によって変換されたデジタル画像データは画像入力ボードを介してコントローラ３のメモリ３０に送り込まれる。
【００２０】
この写真プリント装置のコントローラ３は実質的にはパソコンであり、ＣＰＵを中核部材として、写真プリント装置の種々の動作を行うための機能部をハードウエア又はソフトウエアあるいはその両方で構築しているが、図３に示されているように、本発明に特に関係する機能部としては、スキャナ２やメディアリーダ１８によって読み取られた撮影画像データやプリント注文情報を取り込んで次の処理のために必要な前処理を行うデータ前処理部３１と、データ前処理部３１から与えられたプリント注文情報の処理やデータ前処理部３１からメモリ３０に転送された撮影画像データに対する処理を行うプリント管理部３２と、各種ウインドウや各種操作ボタンなどのグラフィックユーザインターフェース（以下ＧＵＩを略称する）を構成する各種画像データを送り出すＧＵＩ部３３と、色補正等のプレジャッジ作業時にプリントソース画像や予想仕上がりプリント画像としてのシミュレート画像さらにはＧＵＩ部３３から送られてきたグラフィックデータをモニタ４に表示させるためのビデオ信号を生成するビデオ制御部３４と、画像処理が完了した処理済み撮影画像データに基づいてプリントステーション１Ｂの露光エンジン１２のためのプリントデータを生成するプリントデータ生成部３５と、顧客の要望に応じて生の撮影画像データや画像処理が完了した処理済み撮影画像データなどをＣＤ−Ｒに書き込むための形式にフォーマットするフォーマッタ部３６などが挙げられる。データ前処理部３１は、取り込んだ撮影画像データにサムネイル画像データが含まれている場合はモニタ４での一覧表示などの目的で使用するため撮影画像の本データとは別にメモリ３０に送り込むが、もしサムネイル画像データが含まれていない場合は本データから縮小画像を作り出してサムネイル画像データとしてメモリ３０に送り込む。プリント管理部３２は、メモリ３０に展開された撮影画像データに対して色補正、トリミング、回転、フィルタリング（ぼかしやシャープネスなど）を施す画像処理部３２ａやデータ前処理部３１から与えられたプリント注文情報やキーボード１６やマウス１７の操作を通じて入力されたプリント注文に関する情報に基づいてプリントステーション１Ｂを制御するためのプリント処理情報を生成するプリント処理情報生成部３２ｂを含んでいる。
【００２１】
このプリント管理部３２は、複数コマの撮影画像とそのプリント注文情報を記録可能な写真記録メディアＭをプリントソースとして写真プリントＰを作製する際のプリント管理システムの中核要素として機能するが、このプリント管理システムが行う手順を図４の流れ図とその都度のモニタ画面を示す図５〜図１０を用いて順を追って説明する。
【００２２】
ステップ１（＃０１）
写真記録メディアＭを持参してきた顧客から写真プリント注文を受け取る際、まずモニタ４に図５に示されたプリント種選択画面４０を表示しながら、顧客のプリント希望を尋ねながら、操作ステーション１Ａのオペレータはタブによって区分けされた「通常プリント」、「特殊プリント」、「コピープリント」の内の１つを選択する。たいていの場合は通常プリントであり、それゆえこのプリント種選択画面４０では「通常プリント」のフレーム４１がデフォルトで最上面にくるようになっている。この「通常プリントのフレーム４１には１コマ毎に１枚の写真プリントを作製する通常プリントのボタン４１ａ、合成プリントボタン４１ｂ、マルチプリントボタン４１ｃ、パッケージプリントボタン４１ｄが配置されている。顧客の注文に応じて適正なボタンをクリックすることにより選択されたプリント種情報がプリント管理部３２に記録される。なお、「特殊プリント」のフレーム４２には、ポストカードボタン、カレンダボタン、名刺ボタン、証明書写真ボタンなどが配置されている。
【００２３】
ステップ２（＃０２）
図６に示された入力メディア選択画面５０から顧客がプリントソースとして持参してきた写真記録メディアＭに応じて適切な種類を選択する。例えば、スマートメディアが入力メディアとなる場合では、「メディア」のフレーム５１からスマートメディアのボタン５１ａをクリックする。これにより、プリント作業がスタートすると、コントローラ３は、スマートメディアリーダ１８からスマートメディアの内容を読み出しデータ前処理部３１に送り込むことになる。ＡＰＳフィルムが現像処理後のプリントソースとなる場合は、「スキャナ」のフレーム５２に配置されているＡＰＳボタンをクリックする。これにより、コントローラ３は、スキャナ２からＡＰＳフィルムの内容を読み出しデータ前処理部３１に送り込むことになる。
【００２４】
ステップ３（＃０３）
図７に示されたサービス選択画面６０では、単なる写真プリントだけを意味するプリントボタン６１、インデックスプリントを付け加えるインデックスプリントボタン６２、撮影画像のＣＤ−Ｒへの書き込みも行うＣＤ−Ｒプリントボタン６３が配置されており、顧客の要求に応じたボタンをクリックすることで、必要なサービスプリントが出力される。
【００２５】
ステップ４（＃０４）
図８に示されたプリントサイズ選択画面７０では、そのＤＰショップで取り扱うプリントサイズを示すボタン、例えば１５２ｘ１０２サイズボタン７１、３０５ｘ２５４サイズボタン７２、３０５ｘ４５７サイズボタン７３などが配置されており、クリックされたボタンのプリントサイズがプリント管理部３２に与えられる。
【００２６】
ステップ５（＃０５）
写真プリント業界ではよく知られたプレジャッジプリント作業において活用されるプレジャッジプリント画面の一例が図９に示されている。プレジャッジプリント作業では表示された撮影画像コマに対してプリント枚数（０枚、つまりプリントしないケースもある）、色の濃度補正、フィルタ処理などの設定が行われる。図９の例では、左側領域に６個の撮影画像コマ（サムネイル画像）を一覧表示する撮影画像コマ表示欄６１と、右欄領域に色濃度補正と枚数設定のためのボタン配置欄６２が配置されている。
【００２７】
色濃度補正を行うためには、補正対象となるコマを選択し、「イエロー」、「マゼンタ」、「シアン」、「濃度」の各増減ボタン６３を操作する。補正量は各増減ボタンの間に表示される。プリント枚数設定を行うためには、同様に補正対象となるコマを選択し、各増減ボタン６３を操作する。なお補正量の「Ｎ」はニュートラルを表し補正なしを意味する。設定プリント枚数は各増減ボタンの間に表示される。「ＰＡＳＳ（パス）」ボタンはプリントを行わない場合に用いられ、次の撮影画像コマの表示を促す。
【００２８】
この例では、プリントソースとしてデジタルカメラで使用されたメモリカードＭａ（例えばスマートメディア）が取り扱われているので、撮影画像コマ表示欄６１に配置されている各撮影画像コマの周辺には、拡大表示された図１０から明らかなように、撮影画像コマのファイル名と拡張子、色濃度補正値（Ｎは補正なしを意味する）、撮影画像本データの画素数（ここでは１２８０ｘ１０２４）、そしてこの撮影画像コマにはＤＰＯＦ形式のプリント注文情報が付随していることを示すプリント注文情報マーク（以後この実施の形態の説明ではＤＰＯＦアイコンと称する）９０を表示するエリアが配置されている。さらにＤＰＯＦアイコン９０の隣にはプリント枚数又はＰＡＳＳ（プリントしないこと）を表示するプリント枚数表示欄６５が配置されている。さらにその下側には、個別にプリント枚数を設定することができるプリント枚数増減ボタン６６とその間にＰＡＳＳボタン６７が配置されている。
【００２９】
プリント枚数増減ボタン６６やＰＡＳＳボタン６７を操作することによりプリント枚数表示欄６５に所望のプリント枚数又はＰＡＳＳ記号が設定されるが、ＤＰＯＦアイコン９０が表示されており、そのＤＰＯＦ情報にプリント枚数が含まれている場合には最初はＤＰＯＦ情報に基づくプリント枚数が表示されることになっている。従って、ＤＰＯＦアイコン９０の表示を通じてＤＰＯＦ情報によって規定されたプリント枚数が表示されていることをオペレータは認識することができるので、この値を書き換える場合には、今回の顧客によるプリント注文票に照らし合わせて慎重に処理することになる。
【００３０】
また、ＤＰＯＦ情報にはプリント枚数以外にフロントプリントにプリントするための文字情報やトリミング位置の情報なども含まれている可能性があるので、該当する撮影画像コマに割り当てられたＤＰＯＦ情報にはどのようなプリント注文情報が含まれているかどうかを一目でわかるように、このＤＰＯＦアイコン９０は含まれているプリント注文情報に応じて複数種類が用意されている。その例として、図１１に示すように、プリント枚数が設定されている場合にはＤＰＯＦをイメージしたＤＰＯＦアイコンに「Ｐ」が重ねられており、フロントプリントにプリントするための文字情報が設定されている場合にはＤＰＯＦをイメージしたＤＰＯＦアイコンに「Ｃ」が重ねられており、トリミング位置の情報が設定されている場合にはＤＰＯＦをイメージしたＤＰＯＦアイコンに「Ｔ」が重ねられている。これにより、一覧表示された撮影画像コマの周辺に表示されたＤＰＯＦアイコンを見るだけで、該当撮影画像コマにどのようなプリント情報が設定されているかを即座に理解できる。このようなＤＰＯＦアイコン９０の表示管理は、プリント管理部３２からのコマンドに基づいてＧＵＩ部３３によって行われる。
【００３１】
この実施の形態では、ＤＰＯＦ情報に含まれていたプリント枚数だけをプリント枚数表示欄６５に表示するように構成されていたが、例えば、ＤＰＯＦアイコンをクリックすることによりフロントプリントにプリントするための文字情報やトリミング位置の情報が表示されるように構成することも可能である。さらには、表示されたＤＰＯＦアイコンを消去したり、他のＤＰＯＦアイコンで置き換えることによりＤＰＯＦ情報に含まれていたプリント注文情報の一部又は全てを今回の写真プリント作製に反映させないようにすることも可能である。
【００３２】
ステップ６（＃０６）
必要なプレジャッジプリント作業が完了すると、これまでの全てのステップを通じて得られたプリント注文に関する情報から、プリント処理情報管理部３２ｂはプリント処理情報を作成し、このプリント処理情報に基づいて、画像処理部３２ａに制御コマンドを与え、撮影画像本データを画像処理するとともに、プリントデータ生成部３５にも制御コマンドを与え、処理済み撮影画像本データからプリントデータを生成させ、プリントステーション１Ｂへ転送する。さらに、必要な場合、フォーマッタ部３６にも制御コマンドを与え、処理前撮影画像本データ又は処理済み撮影画像本データ処理済み撮影画像本データあるいはその両方をＣＤ−Ｒに書き込むための前処理を行わせる。
【００３３】
上記実施の形態では、プリント注文情報として便宜上ＤＰＯＦ仕様を取り上げたが、本発明はＤＰＯＦ仕様に限定されるわけではなく、写真プリント注文において利用すべく提案されている種々の仕様に適用できるものである。特に、プリントソースをデジタルカメラに限っているわけではなく、プリント注文情報が書き込まれたＡＰＳ仕様のフィルムを扱う場合にはＡＰＳ仕様を表現したＡＰＳアイコンを該当画像コマに対応付けて表示し、必要に応じてその設定プリント処理情報を表す記号を付加することも上述した手順を通じて可能である。
【００３４】
また、上記実施の形態では、ＤＰＯＦアイコン９０上で表される設定プリント処理情報として「Ｐ」（プリント枚数）、「Ｃ」（フロントプリントにプリントするための文字情報）、「Ｔ」（トリミング位置）を取り上げたが、ここでは図示されていないが、もちろんその他の情報、例えばコマ番号印刷や画像の回転指定なども表現可能なＤＰＯＦアイコン９０を用いることもできる。
【００３５】
本発明で重要な点は、写真プリント処理作業時に撮影画像コマをモニタに表示する際、その撮影画像コマにプリント注文情報が予め付与されていた場合モニタ表示される各撮影画像コマに対応付けてそのプリント注文情報を意味するマークが表示されることである。
【図面の簡単な説明】
【図１】本発明によるプリント管理システムを採用した写真プリント装置を示す外観図
【図２】図１による写真プリント装置のブロック図
【図３】写真プリント装置のコントローラにおけるプリント管理に関する機能ブロック図
【図４】プリント管理の手順を示す流れ図
【図５】モニタに表示されたプリント種選択画面の模式図
【図６】モニタに表示された入力メディア選択画面の模式図
【図７】モニタに表示されたサービス選択画面の模式図
【図８】モニタに表示されたプリントサイズ選択画面の模式図
【図９】モニタに表示されたプレジャッジプリント作業画面の模式図
【図１０】プレジャッジプリント作業画面の部分拡大図
【図１１】各種ＤＰＯＦアイコンを説明する説明図
【符号の説明】
２  スキャナ
３  コントローラ
４  モニタ
１６  キーボード
１７  マウス
１８  メディアリーダ
３０  メモリ
３１  データ前処理部
３２  プリント管理部
３２ａ画像処理部
３２ｂプリント処理情報生成部
３３  ＧＵＩ部
３４  ビデオ制御部
３５  プリントデータ生成部
３６  フォーマッタ部
６１  撮影画像コマ表示欄
６５  プリント枚数表示欄
６６  プリント枚数増減ボタン
６７  ＰＡＳＳボタン
９０  ＤＰＯＦアイコン（マーク）
【図１】
2004164306.tif 000003
【図２】
2004164306.tif 000004
【図３】
2004164306.tif 000005
【図４】
2004164306.tif 000006
【図５】
2004164306.tif 000007
【図６】
2004164306.tif 000008
【図７】
2004164306.tif 000009
【図８】
2004164306.tif 000010
【図９】
2004164306.tif 000011
【図１０】
2004164306.tif 000012
【図１１】
2004164306.tif 000013